【手続補正書】
【提出日】平成26年4月21日(2014.4.21)
【手続補正１】
【補正対象書類名】明細書
【補正対象項目名】０００７
【補正方法】変更
【補正の内容】
【０００７】
（発明の目的）
本発明の目的は、閉状態でのバリアカバーとフロントカバーの一体感を高めることができ、見栄えの良い撮像装置を提供することである。
【手続補正２】
【補正対象書類名】明細書
【補正対象項目名】０００８
【補正方法】変更
【補正の内容】
【０００８】
上記の目的を達成するために、本発明の撮像装置は、前面を覆うフロントカバーと、開閉可能に設けられ、開状態では前記フロントカバーと重なり、閉状態では前記フロントカバーと連続的な面を形成するバリアカバーと、前記バリアカバーと前記フロントカバーとを連結する２つのシャフトと、前記バリアカバーを前記開状態でロックするロック手段と、を有し、前記２つのシャフトには、互いに平行な長寸軸部および短寸軸部と、前記長寸軸部と前記短寸軸部とを連結する折返し部とがそれぞれ形成されており、前記フロントカバーには、前記長寸軸部を回転可能かつスライド可能に支持する長寸軸受部が形成されており、前記バリアカバーには、前記短寸軸部を回転可能に支持する短寸軸受部が形成されており、前記バリアカバーが前記閉状態となっているときに、前記バリアカバーが前記フロントカバーよりも前方向に突出する突出状態に前記バリアカバーを移動させることで、前記長寸軸部が前記長寸軸受部に対して回転するとともに、前記短寸軸部が前記短寸軸受部に対して回転し、前記バリアカバーが前記突出状態となっているときに、前記バリアカバーを前記フロントカバーに対してスライドさせることで、前記長寸軸部が前記長寸軸受部に対してスライドすることを特徴とする。
【手続補正３】
【補正対象書類名】明細書
【補正対象項目名】０００９
【補正方法】変更
【補正の内容】
【０００９】
本発明によれば、閉状態でのバリアカバーとフロントカバーの一体感を高めることができ、見栄えの良い撮像装置を提供することができる。
【手続補正４】
【補正対象書類名】明細書
【補正対象項目名】００２１
【補正方法】変更
【補正の内容】
【００２１】
次に、図５にてカメラ１のバリアカバー８を開閉する操作について説明する。図５（Ａ）はバリアカバー８の閉状態を示し、この閉状態ではバリアカバー８はフロントカバー２と連続的な面を形成する第一位置に位置する。ここからバリアメタル１２及びバリアカバー８を前方への外力にて前方向に引張ってフロントカバー２より前方へ突出させる。すると、シャフト４及び５は、引張る力によって長寸軸部４ａ及び５ａを中心に短寸軸部４ｂ及び５ｂが回転し、バリアメタル１２と共にバリアカバー８がレンズ開口部２ｅから浮上して図５（Ｂ）の第二位置に位置する。
【手続補正５】
【補正対象書類名】明細書
【補正対象項目名】００３１
【補正方法】変更
【補正の内容】
【００３１】
実施例２によるカメラ２１は以上の様に形成されている。従って、このカメラ２１のバリアカバー８を開くには、実施例１と同様、バリアカバー８を前方向に引張るか、あるいはバリアカバー８を始めから横にスライドさせてもよい。しかし、バリアカバー８を直接操作しなくても、ボタン２４を押すことによって、バリアカバー８を前方向に押し出して開くことができるので、操作性をより向上させることができる。
【手続補正６】
【補正対象書類名】明細書
【補正対象項目名】００４３
【補正方法】変更
【補正の内容】
【００４３】
図１３（Ｃ）の位置からさらにバリアカバー８を開いていき、図１３（Ｄ）で示す位置にある時、シャフト４の先端４ｅはスライダー４１の軸当て面４１ａに到達しており、バネ４２の付勢に抗してスライダー４１を図１３における右方向へ移動させている。この時、スライダー４１から延出したリブ４１ｂがスイッチ６２のノブ６２ａを倒れさせており、スイッチ６２がオンの状態となっている。一方、もう１つのシャフト５の先端５ｅは、図１３（Ｃ）の状態からさらにスライダー５１を右方向へ移動させている。この時、スライダー５１から延出したリブ５１ｂが、スイッチ６３のノブ６３ａを通り越しており、スイッチ６３のノブ６３ａが中立位置に復帰し、スイッチ６３は再びオフの状態となっている。また、この位置では２つのスライダー４１、５１の軸当て面４１ａ、５１ａのシャフト４、５と当接する面の反対側の面がフロントカバー３２に当接しており、バリアカバー８がこれ以上開く方向には移動できない状態にある。即ち、バリアカバー８が全開であることを示している。
【手続補正７】
【補正対象書類名】明細書
【補正対象項目名】００４６
【補正方法】変更
【補正の内容】
【００４６】
バリアカバー８の開閉動作に連動してオンとオフが切り替えられるこの２つのスイッチ６２及び６３であるが、これらは配線基板６１上に実装され、不図示のカメラシステムへと信号を出力している。この２つのスイッチ６２、６３がオン及びオフする動作タイミングは図１４に示されていることをすでに述べているが、この動作タイミングを発生させることが重要となっている。以下にスイッチ６２，６３の出力信号及びその動作タイミングについて述べる。
【手続補正８】
【補正対象書類名】明細書
【補正対象項目名】００５１
【補正方法】変更
【補正の内容】
【００５１】
続いてバリアカバー８を開いた状態での保持機構について以下、説明を行う。フロントカバー３２には図１１及び図１２で示すように、一対の突起部３２ｅ、３２ｆ及び一対の突起部３２ｇ、３２ｈが設けられていることをすでに述べた。この一対の突起部３２ｅ、３２ｆ及び一対の突起部３２ｇ、３２ｈはバリアカバー８を開ききった時、即ち図１３（Ｄ）の状態では、一方のシャフト４の径より一段細い小径部面４ｇに一対の突起部３２ｅ、３２ｆが嵌っている。また、他方のシャフト５の径より一段細い小径部面５ｇにもう一対の突起部３２ｇ、３２ｈが嵌りこんでいる。この状態からバリアカバー８を閉じる方向に動かそうとする際、突起部３２ｅ、３２ｆ及び３２ｇ、３２ｈがシャフト４、５の外形を乗り越える必要があるため、バリアカバー８を閉じる方向に負荷が掛かっている。図１４にクリック力が図示されているが、同図においてバリアカバー８を開ききった状態である（Ｄ）から、少し閉め始めた（Ｃ）の方向へ向かう際、クリック力が大きくなっており、これが前述の負荷に相当している。この負荷により、バリアカバー８を開いた状態での保持力を発生させることができる。更に本実施例３では、２本のシャフト４、５に均等に負荷が掛かるように前記２つのタイミングを２本のシャフト４、５で一致させ、バリアカバー８の開閉操作感を損ねないように配慮している。
【手続補正９】
【補正対象書類名】特許請求の範囲
【補正対象項目名】全文
【補正方法】変更
【補正の内容】
【特許請求の範囲】
【請求項１】
前面を覆うフロントカバーと、
開閉可能に設けられ、開状態では前記フロントカバーと重なり、閉状態では前記フロントカバーと連続的な面を形成するバリアカバーと、
前記バリアカバーと前記フロントカバーとを連結する２つのシャフトと、
前記バリアカバーを前記開状態でロックするロック手段と、を有し、
前記２つのシャフトには、互いに平行な長寸軸部および短寸軸部と、前記長寸軸部と前記短寸軸部とを連結する折返し部とがそれぞれ形成されており、
前記フロントカバーには、前記長寸軸部を回転可能かつスライド可能に支持する長寸軸受部が形成されており、
前記バリアカバーには、前記短寸軸部を回転可能に支持する短寸軸受部が形成されており、
前記バリアカバーが前記閉状態となっているときに、前記バリアカバーが前記フロントカバーよりも前方向に突出する突出状態に前記バリアカバーを移動させることで、前記長寸軸部が前記長寸軸受部に対して回転するとともに、前記短寸軸部が前記短寸軸受部に対して回転し、
前記バリアカバーが前記突出状態となっているときに、前記バリアカバーを前記フロントカバーに対してスライドさせることで、前記長寸軸部が前記長寸軸受部に対してスライドすることを特徴とする撮像装置。
【請求項２】
前記２つのシャフトの一方が前記フロントカバーおよび前記バリアカバーの上端側に配置され、前記２つのシャフトの他方が前記フロントカバーおよび前記バリアカバーの下端側に配置されるように、前記長寸軸受部および前記短寸軸受部が形成されていることを特徴とする請求項１に記載の撮像装置。
【請求項３】
前記バリアカバーを前記閉状態から前記突出状態に移動させる間に、前記バリアカバーにたわみが発生し、
前記たわみを復元する復元力によって、前記バリアカバーは前記閉状態または前記突出状態へ移動することを特徴とする請求項１または２に記載の撮像装置。
【請求項４】
前記短寸軸受部は、前記短寸軸部を回転可能かつスライド可能に支持するものであって、
前記バリアカバーが前記閉状態となっているときには、前記折返し部に当接して、前記短寸軸部のスライド方向の移動を規制することを特徴とする請求項１ないし３のいずれか１項に記載の撮像装置。
【請求項５】
前記短寸軸受部には、前記短寸軸部をスライド方向に付勢する付勢部材が挿入されていることを特徴とする請求項４に記載の撮像装置。
【請求項６】
前記長寸軸部の移動に連動して動作するスイッチを有することを特徴とする請求項１ないし５のいずれか１項に記載の撮像装置。
【請求項７】
前記２つのシャフトの一方の前記長寸軸部の移動に連動して動作する第１のスイッチと、
前記２つのシャフトの他方の前記長寸軸部の移動に連動して動作する第２のスイッチと、を有し、
前記第１のスイッチの動作タイミングと、前記第２のスイッチの動作タイミングは互いに異なることを特徴とする請求項６に記載の撮像装置。
【請求項８】
前記２つのシャフトの一方の前記長寸軸部の長さと、前記２つのシャフトの他方の前記長寸軸部の長さと、を互いに異ならせることで、前記第１のスイッチの動作タイミングと、前記第２のスイッチの動作タイミングは互いに異ならせることを特徴とする請求項７に記載の撮像装置。